(57)【要約】【課題】バッファ部の記憶量に応じて記憶するデータ種類を選択することにより、バッファ部への書き込み量を減らし、オーバーフローが発生するリスクを低減させることができるデジタル放送受信装置等を提供すること。【解決手段】複数のパケットから構成されるデジタル放送を受信する受信部と、受信部により受信されたパケットを一時的に記憶するためのバッファ部に転送する制御を行う制御部と、バッファ部に転送されたパケットから復号されたコンテンツを記憶する記憶部と、を備え、所定の閾値と、パケット識別情報とを対応づけて記憶するテーブルを有し、制御部は、バッファ部のバッファ量が所定の閾値以上の場合は、前記受信部により受信されたパケットのうち、テーブルに記憶されたパケット識別情報に対応するパケットをバッファ部に転送する制御を行う。【選択図】図１
2014168187.tif 000002
【特許請求の範囲】
【請求項１】
複数のパケットから構成されるデジタル放送を受信する受信部と、
前記受信部により受信されたパケットを一時的に記憶するためのバッファ部に転送する制御を行う制御部と、
前記バッファ部に転送されたパケットから復号されたコンテンツを記憶する記憶部と、
を備え、
所定の閾値と、パケット識別情報とを対応づけて記憶するテーブルを有し、
前記制御部は、前記バッファ部のバッファ量が所定の閾値以上の場合は、前記受信部により受信されたパケットのうち、前記テーブルに記憶されたパケット識別情報に対応するパケットを前記バッファ部に転送する制御を行うことを特徴とするデジタル放送受信装置。
【請求項２】
複数のパケットから構成されるデジタル放送を受信する受信部と、
前記受信部により受信されたパケットを一時的に記憶するためのバッファ部に転送する制御を行う制御部と、
前記バッファ部に転送されたパケットから復号されたコンテンツを記憶する記憶部と、
を備え、
所定の閾値と、パケット識別情報とを対応づけて記憶するテーブルを有し、
前記制御部は、前記バッファ部のバッファ量が所定の閾値以上の場合は、前記受信部により受信されたパケットのうち、前記テーブルに記憶されたパケット識別情報に対応するパケットを前記バッファ部への転送を行わないことを特徴とするデジタル放送受信装置。
【請求項３】
前記テーブルは、第１の閾値及び第１のパケット識別情報と、第２の閾値及び第２のパケット識別情報と、を対応づけて記憶しており、
前記制御部は、
前記バッファ部のバッファ量が第１の閾値以上の場合は、前記受信部により受信されたパケットのうち、前記テーブルに記憶された第１のパケット識別情報に対応するパケットの転送を行わず、
更に前記バッファ部のバッファ量が第２の閾値以上の場合には、前記受信部により受信されたパケットのうち、前記テーブルに記憶された第２のパケット識別情報に対応するパケットの転送も行わないことを特徴とする請求項２に記載のデジタル放送受信装置。
【請求項４】
複数のパケットから構成されるデジタル放送を受信する受信部と、前記受信部により受信されたパケットを一時的に記憶するためのバッファ部と、を有するコンピュータに、
前記受信部により受信されたパケットを前記バッファ部に転送する制御を行う制御機能と、
前記バッファ部に転送されたパケットから復号されたコンテンツを記憶する制御を行うコンテンツ記憶機能と、
を実現するプログラムであって、
前記コンピュータには、所定の閾値と、パケット識別情報とを対応づけて記憶するテーブルが記憶されており、
前記制御機能は、前記バッファ部のバッファ量が所定の閾値以上の場合は、前記受信部により受信されたパケットのうち、前記テーブルに記憶されたパケット識別情報に対応するパケットを前記バッファ部に転送する制御を行うことを特徴とするプログラム。
【請求項５】
複数のパケットから構成されるデジタル放送を受信する受信部と、前記受信部により受信されたパケットを一時的に記憶するためのバッファ部と、を有するコンピュータに、
前記受信部により受信されたパケットを前記バッファ部に転送する制御を行う制御機能と、
前記バッファ部に転送されたパケットから復号されたコンテンツを記憶する制御を行うコンテンツ記憶機能と、
を実現するプログラムであって、
前記コンピュータには、所定の閾値と、パケット識別情報とを対応づけて記憶するテーブルが記憶されており、
前記制御機能は、前記バッファ部のバッファ量が所定の閾値以上の場合は、前記受信部により受信されたパケットのうち、前記テーブルに記憶されたパケット識別情報に対応するパケットを前記バッファ部への転送を行わない制御を行うことを特徴とするプログラム。
【発明の詳細な説明】
【技術分野】
【０００１】
本発明は、デジタル放送受信装置等に関する。
【背景技術】
【０００２】
従来から、デジタル放送を受信するデジタル放送受信装置が知られている。デジタル受信装置は、例えば液晶テレビや、ＳＴＢといった据え置き型の装置や、携帯電話や、スマートフォンといった移動型の装置等が知られている。
【０００３】
ここで、デジタル放送受信装置を用いてデジタル放送を受信し、例えば再生・録画等をする場合に、負荷を軽減するためにデコードしたパケットを一時的に記憶するバッファが用いられることが一般的である。
【０００４】
バッファを利用した発明としては、例えば、映像又は音声のトランスポートストリームを多重分離後のバッファの残量に応じて前記データ読み出し手段の読み出しの開始と停止を制御するバッファ残量監視手段を備え、通常ＡＶ再生時には切替手段で出力タイミングを制御し、出力タイミング制御手段によって放送波と同じ出力タイミングにしてＡＶ再生を行うこと、および倍速再生の特殊ＡＶ再生時には切替手段で出力タイミングを制御せず前記バッファ残量監視手段によってバッファ量を監視して前記データ読出し手段のデータ読出しの開始と停止を制御する発明等が開示されている（例えば、特許文献１参照）。
【先行技術文献】
【特許文献】
【０００５】
【特許文献１】特開２００４−３３６３３２号公報
【発明の概要】
【発明が解決しようとする課題】
【０００６】
近年、ＩＳＤＢ−Ｔｍｍの蓄積サービスや通信網からの動画ダウンロードなど、高ビットレートのコンテンツを端末のストレージに書き込むことが頻繁に発生している。
【０００７】
高ビットレートコンテンツの保存と、デジタル放送の録画（例えば、ワンセグ録画）を同じ保存領域（本体メモリやＳＤカード（登録商標）等）に同時に行う場合、同一デバイスへのアクセスが集中することにより、保存領域への書き込み時間／応答時間が長くなり、保存用のバッファが溢れてしまうことが考えられる。
【０００８】
ここで、上記従来技術では、バッファ内の未処理データの量を監視し、その量に応じてバッファからのデータの読み出しを停止する／しないの制御をしているが、全体として処理するデータ量は変わらないので、処理するデータ量が多いと、バッファ前でオーバーフローが発生したりする可能性があった。
【０００９】
例えば、高ビットレートコンテンツ保存と放送波の録画を同時に行う際に、バッファリングするデータ量が増えてしまい、データの読み出しが停止されるので、コンテンツ保存に失敗したり、録画データが途切れてしまったりする可能性があった。
【００１０】
具体的に図を使って説明する。図１０（ａ）は受信されたワンセグデータと、受信された動画データとを示す概略図である。ここで「Ａ」は音声パケット（データ）、Ｖは映像パケット（データ）、Ｄはデータ放送パケット（データ）、Ｃは字幕パケット（データ）を示している。
【００１１】
ワンセグデータと、動画データとを同時に記録した状態を示した図が図１０（ｂ）である。このように、動画データと、ワンセグデータとが同じ領域に記録されることにより、単位時間当たりに書き込めるワンセグデータが少なくなってしまうという問題が生じてしまった。
【００１２】
上述した課題に鑑み、本発明の目的は、バッファ部の記憶量に応じて記憶するデータ種類を選択することにより、バッファ部への書き込み量を減らし、オーバーフローが発生するリスクを低減させることができるデジタル放送受信装置等を提供することである。
【課題を解決するための手段】
【００１３】
上述した課題に鑑み、本発明のデジタル放送受信装置は、複数のパケットから構成されるデジタル放送を受信する受信部と、前記受信部により受信されたパケットを一時的に記憶するためのバッファ部に転送する制御を行う制御部と、前記バッファ部に転送されたパケットから復号されたコンテンツを記憶する記憶部と、を備え、所定の閾値と、パケット識別情報とを対応づけて記憶するテーブルを有し、前記制御部は、前記バッファ部のバッファ量が所定の閾値以上の場合は、前記受信部により受信されたパケットのうち、前記テーブルに記憶されたパケット識別情報に対応するパケットを前記バッファ部に転送する制御を行うことを特徴とする。
【００１４】
本発明のデジタル放送受信装置は、複数のパケットから構成されるデジタル放送を受信する受信部と、前記受信部により受信されたパケットを一時的に記憶するためのバッファ部に転送する制御を行う制御部と、前記バッファ部に転送されたパケットから復号されたコンテンツを記憶する記憶部と、を備え、所定の閾値と、パケット識別情報とを対応づけて記憶するテーブルを有し、前記制御部は、前記バッファ部のバッファ量が所定の閾値以上の場合は、前記受信部により受信されたパケットのうち、前記テーブルに記憶されたパケット識別情報に対応するパケットを前記バッファ部への転送を行わないことを特徴とする。
【００１５】
本発明のプログラムは、複数のパケットから構成されるデジタル放送を受信する受信部と、前記受信部により受信されたパケットを一時的に記憶するためのバッファ部と、を有するコンピュータに、前記受信部により受信されたパケットを前記バッファ部に転送する制御を行う制御機能と、前記バッファ部に転送されたパケットから復号されたコンテンツを記憶する制御を行うコンテンツ記憶機能と、を実現するプログラムであって、前記コンピュータには、所定の閾値と、パケット識別情報とを対応づけて記憶するテーブルが記憶されており、前記制御機能は、前記バッファ部のバッファ量が所定の閾値以上の場合は、前記受信部により受信されたパケットのうち、前記テーブルに記憶されたパケット識別情報に対応するパケットを前記バッファ部に転送する制御を行うことを特徴とする。
【００１６】
本発明のプログラムは、複数のパケットから構成されるデジタル放送を受信する受信部と、前記受信部により受信されたパケットを一時的に記憶するためのバッファ部と、を有するコンピュータに、前記受信部により受信されたパケットを前記バッファ部に転送する制御を行う制御機能と、前記バッファ部に転送されたパケットから復号されたコンテンツを記憶する制御を行うコンテンツ記憶機能と、を実現するプログラムであって、前記コンピュータには、所定の閾値と、パケット識別情報とを対応づけて記憶するテーブルが記憶されており、前記制御機能は、前記バッファ部のバッファ量が所定の閾値以上の場合は、前記受信部により受信されたパケットのうち、前記テーブルに記憶されたパケット識別情報に対応するパケットを前記バッファ部への転送を行わないことを特徴とする。
【発明の効果】
【００１７】
本発明によれば、複数のパケットから構成されるデジタル放送を受信する受信部から、受信されたパケットを一時的に記憶するためのバッファ部に転送する場合に、所定の閾値と、パケット識別情報とを対応づけて記憶するテーブルに基づいて、バッファ部のバッファ量が所定の閾値以上の場合は、受信部により受信されたパケットのうち、テーブルに記憶されたパケット識別情報に対応するパケットがバッファ部に転送されることになる。したがって、バッファ量に応じて転送されるパケットが選択されるため、バッファ部のオーバーフローが発生するリスクを抑えることが可能となる。
【図面の簡単な説明】
【００１８】
【図１】本実施形態におけるシステム全体を説明するための図である。
【図２】本実施形態における携帯端末の機能構成を示すブロック図である。
【図３】第１実施例におけるバッファ閾値保存部のデータ構成の一例を示す図である。
【図４】第１実施例における動作を説明するための図である。
【図５】第１実施例における処理の流れを説明するための動作フローである。
【図６】第２実施例におけるバッファ閾値保存部のデータ構成の一例を示す図である。
【図７】第２実施例における動作を説明するための図である。
【図８】第２実施例における処理の流れを説明するための動作フローである。
【図９】本実施形態における動作例を説明するための図である。
【図１０】従来の動作を説明するための図である。
【発明を実施するための形態】
【００１９】
以下、本発明の実施の形態について添付図面を参照して説明する。なお、本実施形態では、一例として、本発明におけるデジタル放送受信装置を、携帯型のワンセグ放送が受信可能な携帯端末１に適用した場合について説明する。
【００２０】
［１．全体構成］
図１を参照して、本発明の一実施の形態に係るシステム全体について説明する。携帯端末１は、放送局３から配信される放送コンテンツを受信する。本実施形態においては、放送局３からは地上デジタル放送にてコンテンツが送信されている。そして、携帯端末１は、地上デジタル放送のうち、ワンセグ放送を受信する場合について説明する。
【００２１】
［２．機能構成］
続いて、携帯端末１の機能構成について、図２を用いて説明する。図２に示すように、携帯端末１は、制御部１０に、チューナ部２０と、デジタル放送制御部３０と、録画制御部４０と、パケットフィルタ部４５と、バッファ部５０と、バッファ監視部５５と、記憶部６０と、バッファ閾値記憶部７０と、操作部８０と、表示部９０と、音声出力部９５とが接続されて構成されている。
【００２２】
制御部１０は、携帯端末１の全体を制御するための機能部である。制御部１０は、記憶部６０に記憶されている各種プログラムを読み出して実行することにより各種機能を実現しており、例えばＣＰＵ（Central Process Unit）等により構成されている。
【００２３】
チューナ部２０は、利用者が所望するチャンネルの周波数から、放送信号を受信するための機能部である。また、チューナ部２０は、アンテナ２２が接続されている。
【００２４】
アンテナ２２は、放送局３から放送信号を直接受信するための機能部である。例えば携帯端末１に内蔵されるように構成されても良いし、外部に接続されるように構成されても良い。
【００２５】
デジタル放送制御部３０は、チューナ部２０により受信された放送信号から、コンテンツをデコードするための機能部である。コンテンツは、複数のパケットを含んで構成されている。
【００２６】
ここで、パケットには、ワンセグ放送の場合、音声パケット、映像パケット、字幕パケット、データ放送パケット等が含まれている。これらのパケットは、パケット識別情報に基づいて、識別することが可能である。本実施形態においては、パケット識別情報の一例としてＰＩＤ（Packet ID）という識別子（識別情報）を利用する場合について説明する。
【００２７】
録画制御部４０は、地上デジタル放送（ワンセグ放送）の録画の制御を行う為の機能部である。すなわち、利用者による指示や、所定の時間のときに、受信されたコンテンツを記憶部６０に録画データ６２として録画する制御を行う。
【００２８】
パケットフィルタ部４５は、デジタル放送制御部３０によりデコードされたコンテンツのパケットから、必要なパケットをバッファ部５０に出力するための機能部である。本実施形態では、ＰＩＤにより、出力するパケット（又は破棄するパケット）を特定し、必要なパケットをバッファ部５０に出力する。
【００２９】
バッファ部５０は、後述する記憶部６０に録画データを記憶する前に、一時的にコンテンツが記憶される機能部である。バッファ部５０は、記憶可能な容量として所定の容量が確保されており、バッファ監視部５５により、現在使用中の記憶量（又は、バッファ部５０の残記憶量）が出力される。バッファ監視部５５は所定のタイミングにて制御部１０に、バッファ部５０の記憶量（埋まり具合、残りの具合）を出力する。
【００３０】
記憶部６０は、携帯端末１の動作に必要な各種プログラムや、各種データが記憶されている機能部である。記憶部６０は、例えば、半導体メモリや、ＨＤＤ（Hard Disk Drive）等により構成されている。また、プログラム以外にも、各コンテンツ（例えば、映像データ、音声データ）等が記憶される。
【００３１】
ここで、記憶部６０には、録画データ６２が記憶されている。録画データ６２は、バッファ部に記憶されているコンテンツデータを記憶することにより、いわゆる録画を行うことが出来る。
【００３２】
バッファ閾値保存部７０は、バッファ閾値が保存される機能部である。バッファ閾値としては、バッファ部５０の閾値と、そのときに利用する（又は破棄する）コンテンツの種類等（例えば、本実施形態においてはパケットの種別を示すＰＩＤ）が対応づけて記憶されている。
【００３３】
ここで、バッファ部５０に記憶される閾値（バッファ閾値）は１つでも良いし、複数記憶可能としても良い。また、バッファ閾値としては、予め記憶されているものであっても良いし、複数の種類から選択したり、利用者等が任意に設定する構成としても良い。また、コンテンツ事業者が指定したりしても良い。
【００３４】
操作部８０は、利用者からの操作指示の入力を受け付ける為の機能部である。例えば、選局操作、録画操作等が操作部８０を介して利用者は指示することができる。操作部８０としては、ハードウェアキーや、タッチパネル等を利用したソフトウェアキーにより構成されている。また、利用者が操作指示を出来れば良いため、例えば音声入力方式といった他の方式や、キーボードやマウスといった外部機器が接続されても良いし、ネットワーク（メール等を含む）による遠隔操作等が行われても良い。
【００３５】
表示部９０は、各種情報を表示したり、映像を表示したりする機能部である。例えば、ＬＣＤや、有機ＥＬディスプレイといった装置により構成されている。また、音声出力部９５は、音（音声や音楽等）を出力するための機能部（例えば、スピーカやイヤホン等）である。これらの機器は、携帯端末１に内蔵されるものであっても良いし、外部機器に出力するものであっても良い。表示部９０、音声出力部９５は従来からの装置により構成されているため、その詳細な説明を省略する。
【００３６】
［３．実施例］
［３．１  第１実施例］
つづいて、第１実施例について説明する。第１実施例はバッファ閾値が１つの場合であり、記憶しないパケットを指定する場合について説明する。第１実施例におけるバッファ閾値保存部７０に記憶されているテーブルの一例を図３に示す。図３に示すように、バッファ閾値（例えば、「５０％」）に、記録しない対象となるパケットの対応ＰＩＤ（例えば、「０ｘ０３２０、０ｘ０１８０、０ｘ０２４０」）とが対応づけて記憶されている。
【００３７】
本実施例の動作概略について図４を用いて説明する。図４（ａ）は、チューナ部２０において受信された（デジタル放送制御部３０によりデコードされた）パケットの状態を示す図である。現在「Ａ（音声）」「Ｖ（映像）」「Ｃ（字幕）」「Ｄ（データ放送）」それぞれのコンテンツのパケットが出力されている。
【００３８】
なお、各パケットは、ＰＩＤによって識別される。本実施例の場合、ＰＩＤとして「０ｘ１８０」の場合は「データ放送（Ｄ）」、「０ｘ２４０」の場合は「字幕（Ｃ）」、「０ｘ３２０」の場合は「映像（Ｖ）」、「０ｘ２７０」の場合は「音声（Ａ）」のパケットであることがそれぞれ識別される。
【００３９】
ここで、図４（ｂ）は通常の状態（すなわち、バッファ量がバッファ閾値以下の場合）を示す図である。図４（ａ）と同じパケットが、パケットフィルタ部４５を介して出力されている。
【００４０】
図４（ｃ）は、バッファ量がバッファ閾値を超えた場合の状態を示す図である。すなわち、パケット閾値保存部７０に保存されている内容に基づき、ＰＩＤの「０ｘ０３２０」「０ｘ０１８０」「０ｘ０２４０」のパケットが破棄されている。すなわち、「Ａ（音声）」のパケットのみがバッファ部５０に出力されている。
【００４１】
ここで、第１実施例における具体的な処理を図５に示す。まず、ワンセグ録画が開始されると（ステップＳ１０２）、ワンセグ録画が終了したか否か判定する（ステップＳ１０４）。ここで、ワンセグ録画が終了していない場合（ステップＳ１０４；Ｎｏ）、バッファ部の埋まり具合、すなわちバッファ量を監視する（ステップＳ１０６）。
【００４２】
バッファ量がバッファ閾値保存テーブル７０に保存されているバッファ閾値を超えた場合（ステップＳ１０８；Ｙｅｓ）、パケットフィルタ部４５において、特定のパケットのみをバッファ部５０に転送する（ステップＳ１１０）。本実施形態の場合は、バッファ閾値保存テーブル７０に記憶されているＰＩＤのパケットを破棄する処理を行う。
【００４３】
また、バッファ量が閾値を超えていない場合には（ステップＳ１０８；Ｎｏ）、ステップＳ１０４から処理を繰り返し実行する。すなわち、総てのパケットが転送される。これにより、バッファ量が閾値を超えている場合には、特定のパケットのみがバッファ部５０に転送されることとなり、バッファオーバフローといった自体を避ける事が可能となる。
【００４４】
［３．２  第２実施例］
続いて第２実施例について説明する。第２実施例は、閾値を複数保存することにより、段階的に保存するパケットを限定するものである。また、ＰＩＤにて指定されたパケットは破棄される実施例である。
【００４５】
第２実施例におけるパケット閾値保存部７０に保存されるパケット閾値の一例を図６に示す。図６に示すように、パケット閾値が「５０％」「７０％」「９０％」と段階的に保存されている。
【００４６】
本実施例の動作概略について図７を用いて説明する。図７（ａ）は、チューナ部２０において受信された（デジタル放送制御部３０によりデコードされた）パケットの状態を示す図である。現在「Ａ」「Ｖ」「Ｃ」「Ｄ」それぞれのコンテンツのパケットが出力されている。
【００４７】
なお、各パケットは、ＰＩＤによって識別される。本実施例の場合、ＰＩＤとして「０ｘ１８０」の場合は「データ放送（Ｄ）」、「０ｘ２３０」の場合は「字幕（Ｃ）」、「０ｘ３２０」の場合は「映像（Ｖ）」、「０ｘ２７０」の場合は「音声（Ａ）」のパケットであることがそれぞれ識別される。  
【００４８】
ここで、図７（ｂ）は通常の状態（すなわち、バッファ量がパケット閾値以下の場合）を示す図である。図７（ａ）と同じパケットが、パケットフィルタ部４５を介して出力されている。
【００４９】
図７（ｃ）は、バッファ量がパケット閾値「５０％」を超えた場合の状態を示す図である。すなわち、パケット閾値保存部７０に保存されている内容に基づき、ＰＩＤの「０ｘ０１８０」のパケット（「Ｄ」）が破棄されている。
【００５０】
図７（ｄ）は、バッファ量がパケット閾値「７０％」を超えた場合の状態を示す図である。すなわち、パケット閾値保存部７０に保存されている内容に基づき、ＰＩＤの「０ｘ０１８０」に加えて、更にＰＩＤ「０ｘ２３０」のパケット（「Ｃ」）が破棄されている。
【００５１】
図７（ｅ）は、バッファ量がパケット閾値「９０％」を超えた場合の状態を示す図である。すなわち、パケット閾値保存部７０に保存されている内容に基づき、ＰＩＤの「０ｘ０１８０」「０ｘ２３０」に加えて、更にＰＩＤ「０ｘ３２０」のパケット（「Ｖ」）が破棄されている。
【００５２】
ここで、第２実施例における具体的な処理を図８に示す。まず、ワンセグ録画が開始されると（ステップＳ２０２）、ワンセグの録画が終了したか否かを判定する（ステップＳ２０４）。
【００５３】
まだ、ワンセグの録画が終了していない場合（ステップＳ２０４；Ｎｏ）、バッファ部５０の埋まり具合、いわゆるバッファ量を監視する（ステップＳ２０６）。ここで、バッファ量が第１閾値を超えた場合には（ステップＳ２０８；Ｙｅｓ）、パケットフィルタ部４５において、ＰＩＤ１のパケット（すなわち、バッファ閾値保存部７０において、１番目の閾値に対応づけられているＰＩＤのパケット）をバッファ部５０に転送しないように制御する（ステップＳ２１０）。
【００５４】
続いて、バッファ量が第２閾値を超えた場合には（ステップＳ２１２；Ｙｅｓ）、パケットフィルタ部４５において、更にＰＩＤ２のパケット（すなわち、バッファ閾値保存部７０において、２番目の閾値に対応づけられているＰＩＤのパケット）をバッファ部５０に転送しないように制御する（ステップＳ２１４）。
【００５５】
続いて、バッファ量が第３閾値を超えた場合には（ステップＳ２１６；Ｙｅｓ）、パケットフィルタ部４５において、更にＰＩＤ３のパケット（すなわち、バッファ閾値保存部７０において、３番目の閾値に対応づけられているＰＩＤのパケット）をバッファ部５０に転送しないように制御する（ステップＳ２１８）。
【００５６】
また、各バッファ量が、それぞれの閾値以下の場合には、ワンセグ録画を継続的に行うこととする（ステップＳ２０８；Ｎｏ／ステップＳ２１２；Ｎｏ／ステップＳ２１６；Ｎｏ）。
【００５７】
これにより、バッファ量が第１閾値以下の場合は総てのパケットがバッファ部５０に転送されるが、バッファ量が第１閾値を超えて第２閾値以下の場合はＰＩＤ１のパケットが転送されない、換言すれば、ＰＩＤ１のパケット以外のパケットがバッファ部５０に転送される。更に、バッファ量が第２閾値を超えて第３閾値以下の場合は、ＰＩＤ１、ＰＩＤ２のパケットがバッファ部５０に転送されず、第３閾値を超えている場合は、ＰＩＤ１、ＰＩＤ２、ＰＩＤ３のパケットがバッファ部５０に転送されないこととなる。
【００５８】
［４．動作例］
続いて、本実施形態における動作例について図９を用いて説明する。図９は、携帯端末１の表示画面Ｗ１００の一例を示す図である。閾値を領域Ｒ１００に、当該閾値に対応する記録しないコンテンツの種類（パケットの種類）を領域Ｒ１０２に入力している。
【００５９】
ここで、閾値や、コンテンツの種類（パケットの種類）は、選択式としても良いし、任意の数を入力する事としても良い。また閾値等は１つの入力でも良いし、複数入力しても良い。
【００６０】
また、動作例において、未記録対象としては、コンテンツ（パケット）の名称が表示されている。携帯端末１は、閾値と、選択されたコンテンツの種類（パケットの種類）に対応するＰＩＤとをバッファ閾値保存部７０に記憶する。なお、コンテンツ（パケット）の名称に対応するＰＩＤは、予め設定されていても良いし、利用者が設定しても良い。
【００６１】
［５．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００６２】
なお、上述した実施形態のデジタル放送受信装置は、例えばスマートフォンを含む携帯電話、タブレット、カーナビゲーション、ＴＶ、コンピュータといったデジタル放送を受信可能な受信装置であれば適用可能である。
【００６３】
また、上述した実施形態においては、受信される放送としてはワンセグ放送を例にとって説明しているが、パケット等によりコンテンツが特定されるものであれば他の方式であっても良い。例えば、地上デジタル放送（フルセグサービス）や、デジタル衛星放送、ＩＰマルチキャスト放送といった種々の放送形式で利用することが可能である。
【００６４】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【００６５】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【００６６】
１  携帯端末
１０  制御部
２０  チューナ部
２２  アンテナ
３０  デジタル放送制御部
４０  録画制御部
４５  パケットフィルタ部
５０  バッファ部
５５  バッファ監視部
６０  記憶部
６２  録画データ
７０  バッファ閾値保存部
８０  操作部
９０  表示部
９５  音声出力部
【図１】
2014168187.tif 000003
【図２】
2014168187.tif 000004
【図３】
2014168187.tif 000005
【図４】
2014168187.tif 000006
【図５】
2014168187.tif 000007
【図６】
2014168187.tif 000008
【図７】
2014168187.tif 000009
【図８】
2014168187.tif 000010
【図９】
2014168187.tif 000011
【図１０】
2014168187.tif 000012